(57)【要約】【課題】ユーザに過度な負担を与えることなく、快適な空気環境を提供する。【解決手段】空調制御装置３００は、情報取得部３１１、快適性指標作成部３１３、空調制御部３１４を備える。情報取得部３１１は、ユーザおよびユーザが操作可能な空調機器に関するユーザ情報と、空調対象空間における空調機器の設置状態を示す機器設置情報と、ユーザの操作および操作時の空調対象空間の空気環境を示す操作情報とを取得する。快適性指標作成部３１３は、情報取得部３１１が取得した複数のユーザ情報、機器設置情報、および操作情報に基づいて、空気環境におけるユーザの快適性を示す快適性指標を作成する。空調制御部３１４は、快適性指標に基づいて、空調機器の空調動作を制御する。【選択図】図４
2019207060.tif 000002
【特許請求の範囲】
【請求項１】
ユーザおよび前記ユーザが操作可能な空調機器に関するユーザ情報と、空調対象空間における前記空調機器の設置状態を示す機器設置情報と、前記ユーザの前記空調機器に対する操作および前記操作時の前記空調対象空間の空気環境を示す操作情報とを取得する情報取得手段と、
前記情報取得手段が取得した複数の前記ユーザ情報、前記機器設置情報、および前記操作情報に基づいて、前記空気環境における前記ユーザの快適性を示す快適性指標を作成する快適性指標作成手段と、
制御モードが前記空調機器の空調動作を自動制御する自動制御モードである場合、前記快適性指標作成手段が作成した前記快適性指標に基づいて、前記空調機器の空調動作を制御する空調制御手段と、を備える、
空調制御装置。
【請求項２】
特定のユーザの属性および特定の空調機器の属性に応じて個別快適性指標を作成する個別快適性指標作成手段、を更に備え、
前記制御モードが前記自動制御モードであり、かつ、前記個別快適性指標作成手段により前記個別快適性指標が作成された場合、前記空調制御手段は、前記個別快適性指標に基づいて、前記特定の空調機器の空調動作を制御する、
請求項１に記載の空調制御装置。
【請求項３】
前記自動制御モードと、前記ユーザの操作に基づいて前記空調機器の空調動作を制御する手動制御モードと、のいずれかに前記制御モードを設定する制御モード設定手段、を更に備え、
前記制御モード設定手段により前記制御モードが前記自動制御モードに設定された後、前記情報取得手段が特定の前記操作情報を取得した場合、前記個別快適性指標作成手段は、既存の前記個別快適性指標を修正する、
請求項２に記載の空調制御装置。
【請求項４】
ユーザおよび前記ユーザが操作可能な空調機器に関するユーザ情報と、空調対象空間における前記空調機器の設置状態を示す機器設置情報と、前記ユーザの前記空調機器に対する操作および前記操作時の前記空調対象空間の空気環境を示す操作情報とを取得する情報取得手段と、
前記情報取得手段が取得した複数の前記ユーザ情報、前記機器設置情報、および前記操作情報に基づいて、前記空気環境における前記ユーザの快適性を示す快適性指標を作成する快適性指標作成手段と、
前記快適性指標作成手段が作成した前記快適性指標に基づいて、前記空調機器の空調動作を制御する空調制御手段と、を備える、
空調制御システム。
【請求項５】
ユーザおよび前記ユーザが操作可能な空調機器に関するユーザ情報と、空調対象空間における前記空調機器の設置状態を示す機器設置情報と、前記ユーザの前記空調機器に対する操作および前記操作時の前記空調対象空間の空気環境を示す操作情報とを取得し、
取得した複数の前記ユーザ情報、前記機器設置情報、および前記操作情報に基づいて、前記空気環境における前記ユーザの快適性を示す快適性指標を作成し、
制御モードが前記空調機器の空調動作を自動制御する自動制御モードである場合、前記快適性指標に基づいて、前記空調機器の空調動作を制御する、
空調制御方法。
【請求項６】
コンピュータを、
ユーザおよび前記ユーザが操作可能な空調機器に関するユーザ情報と、空調対象空間における前記空調機器の設置状態を示す機器設置情報と、前記ユーザの前記空調機器に対する操作および前記操作時の前記空調対象空間の空気環境を示す操作情報とを取得する情報取得手段、
前記情報取得手段が取得した複数の前記ユーザ情報、前記機器設置情報、および前記操作情報に基づいて、前記空気環境における前記ユーザの快適性を示す快適性指標を作成する快適性指標作成手段、
制御モードが前記空調機器の空調動作を自動制御する自動制御モードである場合、前記快適性指標作成手段が作成した前記快適性指標に基づいて、前記空調機器の空調動作を制御する空調制御手段、
として機能させるプログラム。
【発明の詳細な説明】
【技術分野】
【０００１】
本発明は、空調制御装置、空調制御システム、空調制御方法及びプログラムに関する。
【背景技術】
【０００２】
ユーザに快適な空気環境を提供するために、快適度を利用して空調機器の空調動作を制御する技術が知られている。例えば、特許文献１は、ユーザに空調対象空間の空気環境が快適であるか不快であるかを示す評価情報を入力させ、この評価情報に基づいて空調機器を制御する技術を開示している。
【先行技術文献】
【特許文献】
【０００３】
【特許文献１】特開２０１４−１５３０３０号公報
【発明の概要】
【発明が解決しようとする課題】
【０００４】
特許文献１の技術は、ユーザから入力された評価情報を蓄積することにより、空調機器の制御ルールを構築する。このため、ユーザは、快適な空気環境を得るために意識的に評価情報を入力する必要があり、ユーザに過度な負担を与える可能性がある。
【０００５】
本発明は、上述のような事情に鑑みてなされたものであり、ユーザに過度な負担を与えることなく、快適な空気環境を提供することを目的とする。
【課題を解決するための手段】
【０００６】
上記の目的を達成するため、本発明に係る空調制御装置は、情報取得手段、快適性指標作成手段、空調制御手段を備える。情報取得手段は、ユーザおよびユーザが操作可能な空調機器に関するユーザ情報と、空調対象空間における空調機器の設置状態を示す機器設置情報と、ユーザの空調機器に対する操作および操作時の空調対象空間の空気環境を示す操作情報とを取得する。快適性指標作成手段は、情報取得手段が取得した複数のユーザ情報、機器設置情報、および操作情報に基づいて、空気環境におけるユーザの快適性を示す快適性指標を作成する。空調制御手段は、制御モードが空調機器の空調動作を自動制御する自動制御モードである場合、快適性指標作成手段が作成した快適性指標に基づいて、空調機器の空調動作を制御する。
【発明の効果】
【０００７】
本発明に係る空調制御装置は、ユーザおよびユーザが操作可能な空調機器に関するユーザ情報と、空調機器の設置状態を示す機器設置情報と、ユーザの空調機器に対する操作および操作時の空調対象空間の空気環境を示す操作情報とを取得し、これらの情報に基づいてユーザの快適性を示す快適性指標を作成し、この快適性指標に基づいて、空調機器の空調動作を制御する。このため、本発明によれば、ユーザに過度な負担を与えることなく、快適な空気環境を提供することができる。
【図面の簡単な説明】
【０００８】
【図１】本発明の実施の形態に係る空調制御システムの構成を示すブロック図
【図２】空調機器の構成を示すブロック図
【図３】操作端末の構成を示すブロック図
【図４】空調制御装置の構成を示すブロック図
【図５】ユーザ情報テーブルの一例を示す図
【図６】機器設置情報テーブルの一例を示す図
【図７】操作情報テーブルの一例を示す図
【図８】快適性指標作成処理の流れを示すフローチャート
【図９】個別快適性指標作成処理の流れを示すフローチャート
【図１０】ユーザ情報および機器設置情報における重み付けの一例を示す図
【図１１】操作情報の抽出方法を説明するための図
【発明を実施するための形態】
【０００９】
以下、本発明の実施の形態に係る空調制御システムについて、図面を参照しながら詳細に説明する。
【００１０】
本発明の実施の形態に係る空調制御システム１は、図１に示すように、空調対象空間の空気環境を調整する空調機器１００と、空調機器１００を操作する操作端末２００と、空調機器１００を制御する空調制御装置３００とを含む。空調機器１００、操作端末２００、空調制御装置３００は、インターネットをはじめとするネットワークＮＷを介して相互に通信可能に接続されている。
【００１１】
ここで、図１には空調機器１００および操作端末２００が１つずつ記されているが、空調制御システム１は、複数の空調機器１００および操作端末２００を含むものとする。
【００１２】
また、空気環境は、空気の状態を示し、例えば、温度、湿度、気流、空気中の物理的、化学的、生物学的な物質の濃度、空気清浄度等を含む。本実施の形態では、空気環境に含まれるこれらの要素のうち、温冷感に影響する温度と湿度に着目して説明する。
【００１３】
（空調機器１００）
空調機器１００は、室内機と室外機を備えたセパレート型または一体型の空気調和機であって、室内機が設置された空調対象空間である室内の空気環境を調整する。空気環境の調整とは、空調対象空間の空気の温度、湿度、気流、清浄度等を調整することであり、例えば、暖房、冷房、加湿、除湿、空気清浄、送風等を含む。空調機器１００は、図２に示すように、制御部１１０、計測部１２０、操作入力部１３０、空調部１４０、通信部１５０を備える。これらの各部は、バスラインＢＬを介して相互に電気的に接続されている。
【００１４】
制御部１１０は、ＣＰＵ（Central Processing Unit）、ＲＡＭ（Random Access Memory）、ＲＯＭ（Read Only Memory）等を有するコンピュータを備え、ＣＰＵがＲＯＭに記憶された各種の制御プログラムを読み出してＲＡＭ上で実行することにより、空調機器１００の各構成部位を制御する。
【００１５】
制御部１１０は、例えば、通信部１５０を介して空調制御装置３００から取得した制御情報、操作入力部１３０から取得した操作信号等に基づき、空調部１４０を制御して、空調対象空間の空調を行う。また、制御部１１０は、空調部１４０の現在の運転状態を示す運転情報と、計測部１２０から入力した計測情報とを含む状態情報を定期的に生成し、通信部１５０を制御して、生成した状態情報を操作端末２００および空調制御装置３００に送信する。
【００１６】
計測部１２０は、温度を計測する温度センサ、湿度を計測する湿度センサ等の空気環境を計測する各種センサを備え、空調対象空間である室内の温度、湿度等を計測する。また、計測部１２０は、計測結果を示す計測情報を制御部１１０に定期的に出力する。
【００１７】
操作入力部１３０は、リモコンからの赤外線信号を受信する赤外線受光器、タッチ式または押しボタン式の操作キー等を備え、ユーザによる操作を受け付ける。また、操作入力部１３０は、受け付けた操作に応じた操作信号を生成して制御部１１０に出力する。なお、操作入力部１３０は、空調機器１００の周辺の音声を集音して音声認識処理を行い、音声認識結果に基づいて操作信号を生成する機能を有してもよい。
【００１８】
空調部１４０は、圧縮機、熱交換器、インバータ等を備え、制御部１１０の制御に従って、空調対象空間を空調する。
【００１９】
通信部１５０は、有線または無線の通信モジュールを備え、制御部１１０の制御に従って、操作端末２００および空調制御装置３００と通信する。通信部１５０は、例えば、空調機器１００の運転状態および設置空間の空気環境の状態を示す状態情報を操作端末２００と空調制御装置３００の各々に定期的に送信する。また、通信部１５０は、空調機器１００の空調動作の制御内容を示す制御情報を空調制御装置３００から受信する。
【００２０】
（操作端末２００）
操作端末２００は、ユーザが所有するスマートフォン、タブレット端末、ノートパソコン等の汎用携帯機器であり、空調機器１００に対するユーザの操作を受け付け、受け付けた操作に応じた操作情報を空調制御装置３００に送信する。操作端末２００は、図３に示すように、制御部２１０、表示部２２０、操作入力部２３０、通信部２４０を備える。これらの各部は、バスラインＢＬを介して相互に電気的に接続されている。
【００２１】
制御部２１０は、ＣＰＵ、ＲＡＭ、ＲＯＭ等を有するコンピュータを備え、ＣＰＵがＲＯＭに記憶された各種の制御プログラムを読み出してＲＡＭ上で実行することにより、操作端末２００の各構成部位を制御する。
【００２２】
制御部２１０は、例えば、空調制御システム１の構築の際に、ユーザが操作入力部２３０を介して入力した情報に基づいて、ユーザおよびこのユーザが操作可能な空調機器１００に関するユーザ情報、空調機器１００の設置状態を示す機器設置情報を生成し、通信部２４０を制御して、生成したこれらの情報を空調制御装置３００に送信する。また、制御部２１０は、操作入力部２３０から操作信号を入力すると、この操作信号が示す操作内容に、空調機器１００から直近に取得した状態情報に含まれる計測情報を付加して操作情報を生成し、通信部２４０を制御して、生成した操作情報を空調制御装置３００に送信する。
【００２３】
表示部２２０は、ＬＣＤ（Liquid Crystal Display）、ＰＤＰ（Plasma Display Panel）、有機ＥＬ（Electro-Luminescence）ディスプレイ等の表示装置を備え、制御部２１０の制御に従って、各種画像を表示画面に表示する。
【００２４】
操作入力部２３０は、表示部２２０の表示画面に組み込まれたタッチパネル、操作キー、操作ボタン等を備え、ユーザによる操作を受け付ける。また、操作入力部２３０は、受け付けた操作に応じた操作信号を生成して制御部２１０に出力する。
【００２５】
通信部２４０は、有線または無線の通信モジュールを備え、制御部２１０の制御に従って、空調機器１００、空調制御装置３００と通信する。通信部２４０は、例えば、空調機器１００の運転状態および設置空間の空気環境の状態を示す状態情報を空調機器１００から定期的に受信する。また、通信部２４０は、上述したように、操作情報を空調制御装置３００に送信する。
【００２６】
（空調制御装置３００）
空調制御装置３００は、空調機器１００の空調動作を制御する。空調制御装置３００は、図４に示すように、制御部３１０、記憶部３２０、表示部３３０、操作入力部３４０、通信部３５０を備える。これらの各部は、バスラインＢＬを介して相互に電気的に接続されている。
【００２７】
制御部３１０は、ＣＰＵ、ＲＡＭ、ＲＯＭ等を有するコンピュータを備え、ＣＰＵがＲＯＭに記憶された各種の制御プログラムを読み出してＲＡＭ上で実行することにより、空調制御装置３００の各構成部位を制御する。制御部３１０は、機能的には、情報取得部３１１、制御モード設定部３１２、快適性指標作成部３１３、空調制御部３１４を有する。
【００２８】
情報取得部３１１は、通信部３５０を介して、空調機器１００および操作端末２００から各種情報を取得する。情報取得部３１１は、例えば、冷房運転／暖房運転、除湿運転／加湿運転等の空調機器１００の現在の運転状態を示す運転情報と、空調対象空間における空気環境の現在の状態を示す計測情報とを含む状態情報を空調機器１００から定期的に取得する。また、情報取得部３１１は、上述したように、操作端末２００から操作情報を取得する。なお、情報取得部３１１は、送信要求を空調機器１００に送信することにより、状態情報を空調機器１００から適宜取得してもよい。情報取得部３１１は、本発明の情報取得手段の一例である。
【００２９】
制御モード設定部３１２は、例えば、空調機器１００の制御モードを、自動制御モード、または、手動制御モードのいずれかに設定する。自動制御モードは、後述する快適性指標または個別快適性指標に基づいて空調機器１００の空調動作を制御するモードである。一方、手動制御モードは、ユーザの操作に応じて空調動作を制御するモードである。制御モード設定部３１２は、情報取得部３１１が制御モード変更を指示する操作情報を取得した場合には、自動制御モードと手動制御モードとを切り替えて設定する。また、制御モード設定部３１２は、制御モードが自動制御モードに設定された状態において、情報取得部３１１が運転動作の変更、設定温度の変更等の制御モード変更以外を指示する操作情報を取得した場合には、制御モードを強制的に手動制御モードに切り替えて設定する。制御モード設定部３１２は、本発明の制御モード設定手段の一例である。
【００３０】
快適性指標作成部３１３は、快適性指標の作成条件を満たす場合、情報取得部３１１が取得し、記憶部３２０に記憶されたユーザ情報、機器設置情報、操作情報に基づいて、空調対象空間の空気環境の快適性を示す快適性指標を作成する。快適性指標の作成条件として、例えば、前回の快適性指標の作成時から予め設定された期間が経過したか、前回の快適性指標の作成時から記憶部３２０に記憶された操作情報の累計が予め設定された件数以上になったか等の任意の条件を設けてもよい。快適性指標は、空調制御装置３００に登録された全てのユーザおよび全ての空調機器１００を対象に作成され、汎用的に適用し得る快適性を評価するための指標である。
【００３１】
空調機器１００の操作が行われた際の空気環境はそのユーザにとって不快であるとみなすことができる。快適性指標作成部３１３は、ユーザにとって快適な空気環境は個人差があることを考慮して、多数の操作情報に含まれる計測情報が示す温度および湿度の組合せは不快な空気環境であると判定する。すなわち、快適性指標作成部３１３は、同様の空気環境下において多数のユーザが空調機器１００を操作した場合には、その空気環境における温度および湿度の組合せを「不快」と判定する。一方、快適性指標作成部３１３は、不快と判定されていない温度および湿度の組合せを快適な空気環境であると判定する。すなわち、快適性指標作成部３１３は、極少数のユーザによって空調機器１００が操作された、または、空調機器１００が操作されていない温度および湿度の組合せは「快適」と判定する。
【００３２】
なお、快適性指標作成部３１３は、空気環境の快適性を「快適」または「不快」の２段階よりも細分化して快適性指標を作成してもよい。空気環境の快適性は、例えば、「快適」、「やや快適」、「不快」の３段階に区分されてもよい。例えば、自動制御モードにおいて、快適性を重視する運転モードと省エネルギー性を重視する運転モードとの切替えが可能な機能を更に設けた場合、快適性を重視する運転モードでは、快適性が「やや快適」または「不快」の場合に空調を行い、省エネルギー性を重視する運転モードでは、快適性が「不快」の場合のみ空調を行う。これにより、快適性と省エネルギー性とを両立した自動制御を実現することができる。
【００３３】
また、快適性指標作成部３１３は、個別快適性指標の作成条件を満たす場合、記憶部３２０に記憶されたユーザ情報、機器設置情報、操作情報に基づいて、特定のユーザおよび特定の空調機器１００における空調対象空間の空気環境の快適性を示す個別快適性指標を作成する。快適性指標の作成条件として、例えば、制御モード設定部３１２により制御モードが自動制御モードに設定されたか、操作端末２００から個別快適性指標の新規作成を指示する操作情報を取得したか等の任意の条件を設けてもよい。個別快適性指標は、ユーザおよび空調機器１００の属性に応じて作成され、特定のユーザおよび特定の空調機器１００に対して快適性を評価するための指標である。
【００３４】
快適性指標作成部３１３は、個別快適性指標を作成するにあたり、まず、個別快適性指標作成の対象であるユーザおよび対象空調機器１００のユーザ情報および機器設置情報を記憶部３２０から読み出す。続いて、快適性指標作成部３１３は、読み出したユーザ情報および機器設置情報と類似するユーザ情報および機器設置情報を検索し、検索したユーザ情報および機器設置情報に対応付けられた操作情報を抽出する。すなわち、記憶部３２０に記憶された各種情報から特定のユーザおよび対象空調機器１００の属性が類似するユーザおよび対象空調機器１００に関する操作情報のみを抽出する。快適性指標作成部３１３は、抽出した操作情報に基づいて、快適性指標と同様の手法により個別快適性指標を作成する。これにより、快適性指標作成部３１３は、特定のユーザおよび対象空調機器１００に適応する個別快適性指標を作成することができる。
【００３５】
さらに、快適性指標作成部３１３は、制御モードが自動制御モードに設定され、空調制御部３１４が個別快適性指標に基づいて空調機器１００の自動制御を行っている状態において、情報取得部３１１が運転動作の変更、設定温度の変更等を指示する操作情報を取得した場合には、既存の個別快適性指標に基づく自動制御による空気環境がユーザにとって不快であったと判断し、既存の個別快適性指標を修正する。なお、快適性指標作成部３１３は、本発明の快適性指標作成手段および個別快適性指標作成手段の一例である。
【００３６】
空調制御部３１４は、制御モードが自動制御モードである場合、快適性指標に基づいて空調対象空間の温度および湿度の目標値を算出し、設定温度および設定湿度を目標値とする制御情報を生成し、通信部３５０を制御して生成した制御情報を空調機器１００に送信することにより、空調機器１００の空調動作を制御する。また、空調制御部３１４は、個別快適性指標が作成された空調機器１００に対しては、個別快適性指標に基づいて空調機器１００の空調動作を制御する。一方、空調制御部３１４は、制御モードが手動制御モードである場合、操作情報に応じた制御情報を生成し、通信部３５０を制御して生成した制御情報を空調機器１００に送信することにより、空調機器１００の空調動作を制御する。空調制御部３１４は、本発明の空調制御手段の一例である。
【００３７】
なお、情報取得部３１１、制御モード設定部３１２、快適性指標作成部３１３、空調制御部３１４は、単一のコンピュータで各機能を実現してもよいし、各々別個のコンピュータによって各機能を実現してもよい。
【００３８】
記憶部３２０は、ＨＤＤ（Hard Disk Drive）、ＳＳＤ（Solid State Dive）等の記憶内容が書き換え可能な不揮発性の記憶装置を備え、制御部３１０が制御プログラムの実行の際に用いる各種データ、制御プログラムの実行により生成した各種データ等を記憶する。記憶部３２０は、例えば、ユーザ情報ＤＢ（Data Base）３２１、機器設置情報ＤＢ３２２、操作情報ＤＢ３２３、状態情報ＤＢ３２４、快適性指標ＤＢ３２５、個別快適性指標ＤＢ３２６を有する。
【００３９】
ユーザ情報ＤＢ３２１は、情報取得部３１１が取得したユーザ情報を蓄積して記憶する。ユーザ情報ＤＢ３２１は、例えば、図５に示すユーザ情報テーブルの形式でユーザ情報を記憶する。ユーザ情報テーブルは、ユーザ毎に、「ユーザＩＤ」、「年齢」、「性別」、「機器ＩＤ」の各項目のデータが対応付けられている。「ユーザＩＤ」は、ユーザを識別するために予め割り当てられた識別子である。「年齢」、「性別」は、ユーザの年齢、性別を示す。「機器ＩＤ」は、ユーザが操作する空調機器１００を識別するために予め割り当てられた識別子である。なお、ユーザ情報テーブルにおいて、情報取得部３１１が取得したユーザ情報に含まれていない項目は、「―」と記されている。
【００４０】
機器設置情報ＤＢ３２２は、情報取得部３１１が取得した機器設置情報を蓄積して記憶する。機器設置情報ＤＢ３２２は、例えば、図６に示す機器設置情報テーブルの形式で機器設置情報を記憶する。機器設置情報テーブルは、空調機器１００毎に、「機器ＩＤ」、「地域」、「ＵＡ値」、「方角」、「日照状態」の各項目のデータが対応付けられている。
【００４１】
「機器ＩＤ」は、上述したように、空調機器１００を識別するために予め割り当てられた識別子である。「地域」は、空調機器１００が設置された地域を示す。「ＵＡ値」は、空調機器１００が設置された建物の断熱性能を示す外皮平均熱貫流率であり、数値が小さいほど断熱性能が高いことを表す。「方角」は、建物内において空調機器１００が設置された方角を示す。「日照状態」は、空調機器１００が設置された建物の日照状態を示し、年間を通じた日照量または日照時間の程度に応じて、「良」、「普通」、「悪」の３段階に区分されている。
【００４２】
操作情報ＤＢ３２３は、情報取得部３１１が取得した操作情報を蓄積して記憶する。操作情報ＤＢ３２３は、例えば、図７に示す操作情報テーブルの形式で操作情報を記憶する。操作情報テーブルは、操作毎に、「ユーザＩＤ」、「機器ＩＤ」、「操作内容」、「温度」、「湿度」、「操作日時」の各項目のデータが対応付けられている。
【００４３】
「ユーザＩＤ」、「機器ＩＤ」は、上述したように、ユーザ、空調機器１００を識別するために予め割り当てられた識別子である。「操作内容」は、空調機器１００に対する操作の内容を示す。「温度」は、操作が行われた際の空調対象空間の気温を示す。「湿度」は、操作が行われた際の空調対象空間の相対湿度を示す。「操作日時」は、ユーザにより空調機器１００に対して操作が行われた日時を示す。
【００４４】
状態情報ＤＢ３２４は、情報取得部３１１が取得した状態情報を蓄積して記憶する。
【００４５】
快適性指標ＤＢ３２５は、快適性指標作成部３１３が作成した快適性指標を蓄積して記憶する。
【００４６】
個別快適性指標ＤＢ３２６は、快適性指標作成部３１３が作成した個別快適性指標を蓄積して記憶する。
【００４７】
表示部３３０は、ＬＣＤ、ＰＤＰ、有機ＥＬディスプレイ等の表示装置を備え、制御部３１０の制御に従って、各種画像を表示画面に表示する。表示部３３０は、例えば、快適性指標作成部３１３が作成した快適性指標および個別快適性指標を表す画像を表示する。
【００４８】
操作入力部３４０は、表示部３３０の表示画面に組み込まれたタッチパネル、操作キー、操作ボタン等を備え、ユーザによる操作を受け付ける。
【００４９】
通信部３５０は、有線または無線の通信モジュールを備え、制御部３１０の制御に従って、空調機器１００、操作端末２００と通信する。
【００５０】
次に、図８に示すフローチャートを参照して、空調制御装置３００の制御部３１０が実行する快適性指標作成処理について説明する。制御部３１０は、快適性指標の作成条件を満たしたことに応答して、快適性指標作成処理を開始する。
【００５１】
制御部３１０は、快適性指標作成処理を開始すると、まず、同様の計測情報を含む操作情報を集計する（ステップＳ１０１）。制御部３１０の快適性指標作成部３１３は、記憶部３２０の操作情報ＤＢ３２３に記憶された操作情報を参照し、同様の温度および湿度の組合せを示す計測情報を含む操作情報の件数を集計する。
【００５２】
続いて、制御部３１０は、集計結果に応じて快適性指標を作成する（ステップＳ１０２）。制御部３１０の快適性指標作成部３１３は、例えば、同様の温度および湿度の組合せを示す計測情報を含む操作情報の件数に応じて、その空気環境の快適性を「快適」または「不快」に振り分けることにより、快適性指標を作成する。
【００５３】
次に、制御部３１０は、快適性指標を記憶する（ステップＳ１０３）。制御部３１０の快適性指標作成部３１３は、ステップＳ１０２において生成した快適性指標を記憶部３２０の快適性指標ＤＢ３２５に記憶する。
【００５４】
ステップＳ１０３の処理を実行した後、制御部３１０は、快適性指標作成処理を終了する。
【００５５】
次に、図９に示すフローチャートを参照して、空調制御装置３００の制御部３１０が実行する個別快適性指標作成処理について説明する。制御部３１０は、個別快適性指標の作成条件を満たしたことに応答して、個別快適性指標作成処理を開始する。
【００５６】
制御部３１０は、個別快適性指標作成処理を開始すると、まず、個別快適性指標作成の対象であるユーザおよび対象空調機器１００のユーザ情報および機器設置情報を読み出す（ステップＳ２０１）。制御部３１０の快適性指標作成部３１３は、記憶部３２０のユーザ情報ＤＢ３２１および機器設置情報ＤＢ３２２を参照し、該当するユーザ情報および機器設置情報を読み出す。
【００５７】
次に、制御部３１０は、個別快適性指標の作成に採用する操作情報を抽出する（ステップＳ２０２）。制御部３１０の快適性指標作成部３１３は、ユーザ情報ＤＢ３２１および機器設置情報ＤＢ３２２を参照して、ステップＳ２０１において読み出したユーザ情報および機器設置情報と類似するユーザ情報および機器設置情報を検索し、検索したユーザ情報および機器設置情報に対応付けられた操作情報を抽出する。
【００５８】
続いて、制御部３１０は、抽出した操作情報に基づいて、個別快適性指標を作成する（ステップＳ２０３）。制御部３１０の快適性指標作成部３１３は、抽出した操作情報に含まれる計測情報が示す温度および湿度の組合せは不快な空気環境であると判定する。一方、快適性指標作成部３１３は、不快と判定されていない温度および湿度の組合せを不快な空気環境であると判定する。抽出した操作情報は、類似の属性を有するユーザおよび空調機器１００に関する操作であるため、同様の空気環境において同様の操作内容を示す傾向が高い。
【００５９】
次に、制御部３１０は、個別快適性指標を記憶する（ステップＳ２０４）。制御部３１０の快適性指標作成部３１３は、ステップＳ２０３において作成した個別快適性指標を記憶部３２０の個別快適性指標ＤＢ３２６に記憶する。このように、個別快適性指標が作成された空調機器１００は、自動制御モードにおいて快適性指標に代えてこの個別快適性指標に基づいて空調制御部３１４によって自動制御される。
【００６０】
ステップＳ２０４の処理を実行した後、制御部３１０は、個別快適性指標作成処理を終了する。
【００６１】
以上に述べたように、本実施の形態に係る空調制御装置３００は、ユーザおよびユーザが操作可能な空調機器１００に関するユーザ情報、空調機器１００の設置状態を示す機器設置情報、空調機器１００に対するユーザの操作および操作時の空調対象空間の空気環境を示す操作情報を取得し、これらの情報に基づいて、快適性指標を作成する。そして、空調機器１００の空調動作を作成した快適性指標に基づいて制御する。このため、本発明によれば、ユーザに過度な負担を与えることなく、快適な空気環境を提供することができる。
【００６２】
なお、本発明は、上記の実施の形態に限定されず、本発明の要旨を逸脱しない範囲での種々の変形および応用が可能である。
【００６３】
快適性指標作成部３１３は、個別快適性指標を作成する際に操作情報を抽出するにあたり、ユーザ情報および機器設置情報に含まれる各情報に重み付けを行ってもよい。例えば、図１０に示すように、ユーザ情報および機器設置情報に含まれる各情報に、異なるポイントを予め付与する。また、図１１に示すように、操作情報とそれに対応付けられたユーザ情報および機器設置情報に含まれる情報のうち、個別快適性指標作成の対象であるユーザおよび対象空調機器１００のユーザ情報および機器設置情報と共通または類似するものが「○」が記された情報であるとする。そして、共通または類似する情報に付与されたポイントの合計を、各操作情報のポイントとする。この場合、Ｎｏ．１およびＮｏ．２の操作情報は６ポイント（２＋４）、Ｎｏ．３の操作情報は１２ポイント（１＋７＋４）、Ｎｏ．４の操作情報は１ポイント、Ｎｏ．５の操作情報は４ポイントとなる。予め設定された閾値以上のポイントである操作情報を、個別快適性指標作成の対象であるユーザおよび対象空調機器１００のユーザ情報および機器設置情報と類似する属性情報を有する操作情報として抽出すればよい。
【００６４】
また、快適性指標作成部３１３は、ＰＭＶ（Predicted Mean Vote：予測平均温冷感申告）、ＰＰＤ（Predicted Percentage Dissatisfied：予測不快者率）等を用いて快適性指標を作成してもよい。ＰＭＶは、快適性を「暑い」、「暖かい」、「やや暖かい」、「暑くも寒くもない」、「やや涼しい」、「涼しい」、「寒い」の７段階に区分して評価する。「暑くも寒くもない」が最も快適な段階である。ＰＭＶを用いる場合、温度、湿度の他に、気流、熱放射、代謝量、着衣量等の数値が必要であるが、これらの数値として日時、季節等に応じたデフォルト値を用いてもよい。
【００６５】
上記の実施の形態において、例えば空調制御装置３００の制御部３１０のＣＰＵが実行する制御プログラムは、あらかじめＲＯＭに記憶されていた。しかしながら、本発明は、これに限定されず、上記の各種処理を実行させるための動作プログラムを、既存の汎用コンピュータや、フレームワーク、ワークステーション等に実装することにより、上記の実施の形態に係る空調制御装置３００に相当する装置として機能させてもよい。
【００６６】
このようなプログラムの提供方法は任意であり、例えば、コンピュータが読取可能な記録媒体（フレキシブルディスク、ＣＤ（Compact Disc）−ＲＯＭ、ＤＶＤ（Digital Versatile Disc）−ＲＯＭ）等に格納して配布してもよいし、インターネットをはじめとするネットワーク上のストレージにプログラムを格納しておき、これをダウンロードさせることにより提供してもよい。
【００６７】
また、上記の処理をＯＳ（Operating System）とアプリケーションプログラムとの分担、または、ＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（Bulletin Board System：BBS）に上記プログラムを掲示し、ネットワークを介してプログラムを配信してもよい。そして、このプログラムを起動し、ＯＳの制御下で、他のアプリケーションプログラムと同様に実行することにより、上記の処理を実行するべく設計してもよい。
【符号の説明】
【００６８】
１…空調制御システム、１００…空調機器、１１０…制御部、１２０…計測部、１３０…操作入力部、１４０…空調部、１５０…通信部、２００…操作端末、２１０…制御部、２２０…表示部、２３０…操作入力部、２４０…通信部、３００…空調制御装置、３１０…制御部、３１１…情報取得部、３１２…制御モード設定部、３１３…快適性指標作成部、３１４…空調制御部、３２０…記憶部、３２１…ユーザ情報ＤＢ、３２２…機器設置情報ＤＢ、３２３…操作情報ＤＢ、３２４…状態情報ＤＢ、３２５…快適性指標ＤＢ、３２６…個別快適性指標ＤＢ、３３０…表示部、３４０…操作入力部、３５０…通信部、ＢＬ…バスライン、ＮＷ…ネットワーク
【図１】
2019207060.tif 000003
【図２】
2019207060.tif 000004
【図３】
2019207060.tif 000005
【図４】
2019207060.tif 000006
【図５】
2019207060.tif 000007
【図６】
2019207060.tif 000008
【図７】
2019207060.tif 000009
【図８】
2019207060.tif 000010
【図９】
2019207060.tif 000011
【図１０】
2019207060.tif 000012
【図１１】
2019207060.tif 000013